(57)【要約】【課題】上下に施工した時に、板の継ぎ目が目立ちにくく、かつ止水性に優れた建築板、および板の施工構造を提供する。【解決手段】一方側の第１側面と、他方側の第２側面を有すると共に、表面側に意匠面を有する建築板。この建築板は、接合目地面と傾斜目地面とを備える。接合目地面は、意匠面と第１側面との境界である第１端辺から、意匠面と第２側面との境界である第２端辺に向かって延びると共に、第１側面と交差して意匠面に形成されている。傾斜目地面は、第２端辺から第１端辺に向かって延びると共に、接合目地面が第１側面と交差する角度よりも大きな角度で、第２側面と交差して意匠面に形成されている。第１端辺は、第２端辺に対して、表面側に偏倚している。【選択図】図３
2020016121.tif 000002
【特許請求の範囲】
【請求項１】
一方側の第１側面と、他方側の第２側面を有すると共に、表面側に意匠面を有する建築板であって、
前記意匠面と前記第１側面との境界である第１端辺から、前記意匠面と前記第２側面との境界である第２端辺に向かって延びると共に、前記第１側面と交差して、前記意匠面に形成された接合目地面と、
前記第２端辺から前記第１端辺に向かって延びると共に、前記接合目地面が前記第１側面と交差する角度よりも大きな角度で、前記第２側面と交差して、前記意匠面に形成された傾斜目地面と、を備え、
前記第１端辺は、前記第２端辺に対して、表面側に偏倚していることを特徴とする建築板。
【請求項２】
前記意匠面は、前記接合目地面の前記第２端辺側の端部から表面側に向かって、前記接合目地面が前記第１側面と交差する角度よりも大きな角度で、前記接合目地面と交差して延びる立上り傾斜面を有することを特徴とする請求項１に記載の建築板。
【請求項３】
前記接合目地面は、前記第１端辺側に面取りを有することを特徴とする請求項１に記載の建築板。
【請求項４】
前記傾斜目地面において、前記第２端辺側の傾斜角度と前記第１端辺側の傾斜角度は異なり、
前記傾斜目地面の前記第２端辺側の前記接合目地面を基準とした傾斜角度が、前記傾斜目地面の前記第１端辺側の前記接合目地面を基準とした傾斜角度よりも大きいことを特徴とする請求項１に記載の建築板。
【請求項５】
前記意匠面は、前記意匠面の内方に内側目地を備え、
前記内側目地は、前記第１端辺側から前記第２端辺側に向かって所定の距離を有して延びる内底面と、
前記内底面よりも前記第１端辺側にあり、前記第１端辺側に向かって所定の距離を有して延びる第１傾斜面と、
前記内底面の前記第２端辺側の端部から表面側に向かって、前記内底面と交差して延びる第２傾斜面を備えることを特徴とする請求項１に記載の建築板。
【請求項６】
前記内側目地は、前記内底面の前記第１端辺側の端部から表面側とは反対の方向に延びると共に、前記内底面及び前記第１傾斜面と交差する内側面を更に備え、
前記内底面と前記内側面の境界である第３端辺は、前記第１傾斜面と前記内側面との境界である前記第４端辺に対して、表面側に偏倚し、
前記内側面と前記第１傾斜面とによって、表面側に開いた空隙が形成されることを特徴とする請求項５に記載の建築板。
【請求項７】
２つの建築板を、上下に隣合わせて構造躯体に施工した建築板の施工構造であって、
前記建築板は、上下に隣合わせた際に、下側に位置する第１側面と、上側に位置する第２側面を有すると共に、表面側に意匠面を有し、
更に前記建築板は、前記意匠面と前記第１側面との境界である第１端辺から、前記意匠面と前記第２側面との境界である第２端辺に向かって延びると共に、前記第１側面と交差して、前記意匠面に形成された接合目地面と、
前記第２端辺から、前記第１端辺に向かって延びると共に、前記接合目地面が前記第１側面と交差する角度よりも大きな角度で、前記第２側面と交差して、前記意匠面に形成された傾斜目地面と、を備え、
上側の前記建築板と下側の前記建築板の接合部には、前記上側の建築板の前記接合目地面と、前記下側の建築板の前記傾斜目地面により接合目地が形成されており、
前記接合目地において、前記上側の建築板の前記第１端辺は、前記下側の建築板の前記第２端辺に対して、表面側に偏倚しており、
前記上側の建築板の前記第１側面と前記下側の建築板の前記第２側面は対向しており、
前記上側の建築板の前記第１側面と前記下側の建築板の前記傾斜目地面とによって、表面側に開いた空隙が形成されていることを特徴とする建築板の施工構造。
【請求項８】
前記建築板は、前記意匠面の内方に内側目地を備え、
前記内側目地は、前記第１端辺側から前記第２端辺側に向かって所定の距離を有して延びる内底面と、
前記内底面よりも前記第１端辺側にあり、前記第１端辺側に向かって所定の距離を有して延びる第１傾斜面と、
前記内底面の前記第２端辺側の端部から表面側に向かって、前記内底面と交差して延びる第２傾斜面と、
前記内底面の前記第１端辺側の端部から表面側とは反対の方向に延びると共に、前記内底面及び前記第１傾斜面と交差する内側面と、を備え、
前記内底面と前記内側面の境界である第３端辺は、前記第１傾斜面と前記内側面との境界である前記第４端辺に対して、表面側に偏倚し、
前記内側面と前記第１傾斜面とによって、表面側に開いた空隙が形成されていることを特徴とする請求項７に記載の建築板の施工構造。
【請求項９】
前記接合目地に形成された前記空隙と、前記内側目地に形成された前記空隙は、断面視形状が同じであることを特徴とする請求項８に記載の施工構造。
【発明の詳細な説明】
【技術分野】
【０００１】
本発明は、建築物の外壁を構成する建築板、及び建築板を上下に隣合わせた建築板の施工構造に関する。
【背景技術】
【０００２】
建築物の外壁を構成する建築板として、窯業系サイディングボードや金属系サイディングボードなどが用いられる。建築板の表面には、意匠性を向上させるために、目地部と凸部とを有する意匠面を設けられることがあり、複数の建築板を上下左右に施工することにより、意匠性の高い外壁が構成される。
【０００３】
建築板は一般に、上下に施工した時に板の継ぎ目が目立たないようにするため、上側建築板の意匠面下端と下側建築板の意匠面上端とが一致するよう設計されている。
【０００４】
しかし、下地面の不陸等により、上側建築板の意匠面下端と下側建築板の意匠面上端がずれて、上下の建築板の継ぎ目が目立つことがある。上側建築板の意匠面下端が屋外側に突出した場合には影ができ、特に目立つ。
【０００５】
そこで、特許文献１、２には、上側建築板の意匠面下端の厚み寸法（裏面までの距離）と下側建築板の意匠面上端の厚み寸法を異ならせ、上側建築板の意匠面下端と下側建築板の意匠面上端を前後にずらすことが記載されている。
【先行技術文献】
【特許文献】
【０００６】
【特許文献１】特開２００６−２６５９５５号公報
【特許文献１】特開２００８−１３３７０１号公報
【発明の概要】
【発明が解決しようとする課題】
【０００７】
上側建築板の意匠面下端が屋外側にずれた場合、上側建築板の突出した部分による影が下側建築板に形成され、上下の建築板の継ぎ目が目立つ。
【０００８】
下側建築板の意匠面上端が屋外側にずれた場合、下側建築板の意匠面上端から裏面側に延びた上側面に水が溜まり、建築板の継ぎ目に水が入りやすくなるので止水性が悪くなる。
【０００９】
本発明は、このような事情のもとで考え出されたものであり、その目的は、上下に施工した時に、板の継ぎ目が目立ちにくく、かつ止水性に優れた建築板、および板の施工構造を提供することにある。
【課題を解決するための手段】
【００１０】
本発明の第１の態様によると、一方側の第１側面と、他方側の第２側面を有すると共に、表面側に意匠面を有する建築板が提供される。この建築板は、接合目地面と傾斜目地面とを備える。接合目地面は、意匠面と第１側面との境界である第１端辺から、意匠面と第２側面との境界である第２端辺に向かって延びると共に、第１側面と交差して、意匠面に形成されている。傾斜目地面は、第２端辺から第１端辺に向かって延びると共に、接合目地面が第１側面と交差する角度よりも大きな角度で、第２側面と交差して、意匠面に形成されている。そして、第１端辺は、第２端辺に対して、表面側に偏倚している。
【００１１】
第１の態様の建築板を、他方が上側、一方が下側となるよう上下に施工すると、上側の建築板の第１側面と、下側の建築板の第２側面が対向する。第１端辺は、第２端辺に対して表面側に偏倚しているので、上側に施工された建築板の第１端辺は、下側に施工された建築板の第２端辺と当接せず、上側の建築板の第１端辺が屋外側に偏倚する。しかし、上側の建築板と下側の建築板の接続部には、上側の建築板の接合目地面と下側の建築板の傾斜目地面により、上側の建築板の接合目地面を目地底面とした接合目地が形成される。そのため、屋外側に偏倚した上側の建築板の第１端辺は、接合目地の目地底面の下端辺となり、目立ちにくくなる。また、屋外側に偏倚した上側の建築板の第１端辺は、下側の建築板の傾斜目地面と対向するので、屋外側に偏倚した上側の建築板の第１端辺により形成される影は小さくなり、より目立ちにくくなる。
【００１２】
更に、施工後、上側の建築板を流下する雨水は、上側の建築板の接合目地面と、下側の建築板の傾斜目地面に沿って流れる。ここで、上側の建築板の接合目地面と、下側の建築板の傾斜目地面とは離れて対向し、上下板の継ぎ目は、上側の建築板の第１端辺よりも屋内側に形成されるので、上下板の継ぎ目に雨水が侵入しにくく、止水性に優れる。
【００１３】
以上のように、本発明の第１の態様による建築板は、上下に施工した時に、上下板の継ぎ目が目立ちにくく、かつ止水性に優れた建築板を実現するのに適する。
【００１４】
本発明の第２の態様による建築板は、第１の態様に加え、意匠面は、接合目地面の第２端辺側の端部から表面側に向かって、接合目地面が第１側面と交差する角度よりも大きな角度で、接合目地面と交差して延びる立上り傾斜面を有する。
【００１５】
立上り傾斜面を有すると、意匠面は凹凸に富み、上下板の継ぎ目が目立ちにくくなるので好ましい。また、立上り傾斜面から接合目地面への雨水の流下も問題は無い。更に、接合目地は上下に傾斜面を有する形状となり、施工後の壁の外観が良くなるので好ましい。
【００１６】
本発明の第３の態様による建築板は、第１の態様に加え、接合目地面は、第１端辺側に面取りを有する。面取り形状としては、傾斜形状、円弧形状、多角形状などが例示される。
【００１７】
接合目地面が第１端辺側に面取りを有すると、建築板を上下に施工した際に、上側の建築板の第１端辺の上側が面取り形状となるので、下側の建築板の傾斜目地面に形成される影が薄くなり、より目立ちにくくなるので好ましい。
【００１８】
本発明の第４の態様による建築板は、第１の態様に加え、傾斜目地面において、第２端辺側の傾斜角度と第１端辺側の傾斜角度が異なる。傾斜目地面において、第２端辺側の接合目地面を基準とした傾斜角度は、第１端辺側の接合目地面を基準とした傾斜角度よりも大きい。
【００１９】
傾斜目地面において、第２端辺側の接合目地面を基準とした傾斜角度が、第１端辺側の接合目地面を基準とした傾斜角度よりも大きいと、建築板を上下に施工した際に、上側の建築板の第１側面と下側の建築板の第２端辺側の傾斜目地面により形成される隙間が小さくなり、該隙間が目立ちにくくなるので好ましい。傾斜目地面において、第１端辺側の接合目地面を基準とした傾斜角度が、立上り傾斜面の接合目地面を基準とした傾斜角度と類似すると、接合目地の上下の傾斜面は類似し、バランスが良いので好ましい。
【００２０】
本発明の第５の態様による建築板は、第１の態様に加え、意匠面は、意匠面の内方に内側目地を有する。内側目地は、第１端辺側から第２端辺側に向かって所定の距離を有して延びる内底面と、内底面よりも第１端辺側にあり、第１端辺側に向かって所定の距離を有して延びる第１傾斜面と、内底面の第２端辺側の端部から表面側に向かって、内底面と交差して延びる第２傾斜面を備える。
【００２１】
意匠面の内方に内側目地を有すると、意匠面は凹凸に富み、上下板の継ぎ目が目立ちにくくなるので好ましい。また、施工後の壁の外観が良くなるので好ましい。
【００２２】
本発明の第６の態様による建築板は、第５の態様に加え、内側目地は、内底面の第１端辺側の端部から表面側とは反対の方向に延びると共に、内底面及び第１傾斜面と交差する内側面を更に備える。そして、内底面と内側面の境界である第３端辺は、第１傾斜面と内側面との境界である第４端辺に対して、表面側に偏倚している。また、内側面と第１傾斜面とによって、表面側に開いた空隙が形成される。
【００２３】
内側目地においても、第３端辺が屋外側に偏倚することにより、影が形成される。接合目地の影も、上側の建築板の第１端辺が屋外側に偏倚することにより形成されるので、内側目地に形成される影と接合目地に形成される影は類似する。そのため、上下板の継ぎ目はより目立ちにくくなり、好ましい。
【００２４】
接合目地面と内底面の断面視形状が同じであり、かつ傾斜目地面と第１傾斜面の断面視形状が同じであると、接合目地の影と内側目地の影は同じとなり、上下板の継ぎ目はより目立ちにくくなるので好ましい。接合目地面と内底面が、第１端辺側に面取りを有すると、接合目地と内側目地に形成される影は薄くなるので、より好ましい。
【００２５】
本発明の第７の態様によると、２つの建築板を、上下に隣合わせて構造躯体に施工した建築板の施工構造が提供される。
【００２６】
建築板は、上下に隣合わせた際に、下側に位置する第１側面と、上側に位置する第２側面と、表面側に意匠面と、接合目地面と、傾斜目地面と、を備える。
【００２７】
接合目地面は、意匠面と第１側面との境界である第１端辺から、意匠面と第２側面との境界である第２端辺に向かって延びると共に、第１側面と交差して、意匠面に形成されている。傾斜目地面は、第２端辺から第１端辺に向かって延びると共に、接合目地面が第１側面と交差する角度よりも大きな角度で、第２側面と交差して、意匠面に形成されている。
【００２８】
上側の建築板と下側の建築板の接合部には、上側の建築板の接合目地面と、下側の建築板の傾斜目地面により接合目地が形成されている。そして、接合目地において、上側の建築板の第１端辺は、下側の建築板の第２端辺に対して、表面側に偏倚している。また、接合目地において、上側の建築板の第１側面と下側の建築板の第２側面は対向しており、上側の建築板の第１側面と下側の建築板の傾斜目地面とによって、表面側に開いた空隙が形成されている。
【００２９】
この施工構造において、上側の建築板の第１端辺は、下側の建築板の第２端辺に対して表面側に偏倚している。しかし、上側の建築板の第１端辺は、接合目地の目地底面の下端辺となり、目立ちにくい。また、上側の建築板の第１端辺は、下側の建築板の傾斜目地面と対向するので、屋外側に偏倚した上側の建築板の第１端辺により形成される影は小さく、より目立ちにくい。
【００３０】
更に、上側の建築板の第１側面と下側の建築板の第２側面は対向するとともに、上側の建築板の第１側面と下側の建築板の傾斜目地面とによって、表面側に開いた空隙が形成されている。そのため、上下板の継ぎ目は、上側の建築板の第１端辺よりも屋内側に形成されている。よって、上側の建築板を流下する雨水は、上側の建築板の接合目地面から下側の建築板の傾斜目地面に流れ、上側の建築板の接合目地面よりも屋外側にある上下板の継ぎ目には流れにくく、止水性に優れる。
【００３１】
以上のように、本発明の第７の態様による建築板の施工構造は、上下板の継ぎ目が目立ちにくく、かつ止水性に優れる。
【００３２】
本発明の第８の態様による建築板の施工構造は、第７の態様に加え、建築板は、意匠面の内方に内側目地を備える。内側目地は、第１端辺側から第２端辺側に向かって所定の距離を有して延びる内底面と、内底面よりも第１端辺側にあり、第１端辺側に向かって所定の距離を有して延びる第１傾斜面と、内底面の第２端辺側の端部から表面側に向かって、内底面と交差して延びる第２傾斜面と、内底面の第１端辺側の端部から表面側とは反対の方向に延びると共に、内底面及び第１傾斜面と交差する内側面と、を備える。そして、内底面と内側面の境界である第３端辺は、第１傾斜面と内側面との境界である第４端辺に対して、表面側に偏倚し、内側面と第１傾斜面とによって、表面側に開いた空隙が形成されている。
【００３３】
この施工構造において、内側目地においても、第３端辺が屋外側に偏倚することにより、影が形成される。接合目地の影も、上側の建築板の第１端辺が屋外側に偏倚することにより形成されるので、内側目地に形成される影と接合目地に形成される影は類似する。そのため、上下板の継ぎ目はより目立ちにくくなり、好ましい。
【００３４】
本発明の第９の態様による建築板の施工構造は、第８の態様に加え、接合目地に形成された空隙と、内側目地に形成された空隙は、断面視形状が同じである。そのため、接合目地の影と内側目地の影は同じとなり、上下板の継ぎ目はより目立ちにくくなるので好ましい。接合目地面と内底面が、第１端辺側に面取りを有すると、接合目地と内側目地に形成される影は薄くなるので、より好ましい。
【発明の効果】
【００３５】
本発明によれば、上下に施工した時に、板の継ぎ目が目立ちにくく、かつ止水性に優れた建築板、および板の施工構造を提供することができる。
【図面の簡単な説明】
【００３６】
【図１】本発明の実施の形態１に係る外壁板の左端部分の拡大正面図である。
【図２】本発明の実施の形態１に係る外壁板の上下断面図である。
【図３】本発明の実施の形態１に係る外壁板を上下に施工した接合構造を示す図である。
【図４】図３に示す接合構造において、水の侵入が防止される状況について説明する図である。
【図５】本発明の実施の形態２に係る外壁板の左端部分の拡大正面図である。
【図６】本発明の実施の形態２に係る外壁板の上下断面図である。
【図７】本発明の実施の形態２に係る外壁板を上下に施工した接合構造を示す図である。
【図８】本発明の実施の形態３に係る外壁板の上下断面図である。
【図９】本発明の実施の形態３に係る外壁板を上下に施工した接合構造を示す図である。
【図１０】本発明の実施の形態４に係る外壁板の上下断面図である。
【図１１】本発明の実施の形態４に係る外壁板を上下に施工した接合構造を示す図である。
【発明を実施するための形態】
【００３７】
以下、本発明を具体化した実施の形態１〜４を、図面を参照しつつ説明する。なお、図１において、垂直上方向を上と表示し、垂直下方向を下と表示し、水平右方向を右と表示し、水平左方向を左と表示する。また、図１において、紙面手前を表面とし、紙面奥を裏面とする。そして、図２以降の各図に示す方向は、図１に対応させて表示する。
【００３８】
（実施の形態１）
実施の形態１の建築板は、セメントを含む窯業系材料からなる外壁板１Ａである。この外壁板１Ａは、左右方向に長い略矩形状をなし、例えば、縦寸法が４５５〜１０００ｍｍ、横寸法が１８００〜３０３０ｍｍである。
【００３９】
外壁板１Ａは、例えば、上下合決り構造のものである。図１、図２に示すように、上端縁には隣接する外壁板１Ａと重ね合わされる接合部として、裏面側で上方に突出した下実部７Ａを有する。下端縁には隣接する外壁板１Ａと重ね合わせられる接合部として、裏面側が凹んだ上実部６Ａを有する。
【００４０】
図３に示すように、下側の外壁板１Ａの下実部７Ａに、上側の外壁板１Ａの上実部６Ａが重ね合わせられることにより、上下の外壁板１Ａは接合されるようになっている。また、下実部７Ａには左右方向に断面視ビード状のコーキングＣが形成されており、下実部７Ａの上に上実部６Ａを重ね合わせると、コーキングＣが潰れ、外壁板１Ａの接合部分を水密な状態とするようになっている。
【００４１】
図２に示すように、外壁板１Ａは、上下方向において、一方側である下側に下側面３Ａを、他方側である上側に上側面４Ａを有する。本実施の形態１では、下側面３Ａが第１側面であり、上側面４Ａが第２側面である。図３に示すように外壁板１Ａ、１Ａを上下に重ね合わせると、上側の建築板１Ａの下側面３Ａと下側の建築板１Ａの上側面４Ａは対向し、上下板の継ぎ目が形成されるようになっている。
【００４２】
外壁板１Ａは、左右方向においても両側に左、右側面を有している。図１では、左側の左側面５Ａのみが記され、右側面は図示しない。本実施の形態１の場合、左、右側面は、上記した下側面３Ａ及び上側面４Ａのような接合部としての上下の実部を有していないが、下側面３Ａ及び上側面４Ａと同様に左右方向に延びた実部を有する構成とすることもできる。
【００４３】
また、外壁板１Ａは、表面側に意匠面２Ａを有する。意匠面２Ａは、外壁板１Ａを施工した際に外壁の屋外側の面であり、外壁板１Ａの模様や柄を構成する部分である。本実施の形態１では、意匠面２Ａは、上下方向において、下側面３Ａの表面側の端部から上側面４Ａの表面側の端部までの領域を占め、左右方向において、左側面５Ａの表面側の端部から右側面の表面側の端部までの領域を占めている。
【００４４】
意匠面２Ａと下側面３Ａとの境界は、下側面３Ａが形成する平面の表面側の端部である下端辺３１ａである。意匠面２Ａと上側面４Ａとの境界は、上側面４Ａが形成する平面の表面側の端部である上端辺４１ａである。本実施の形態１では、下端辺３１ａが第１端辺であり、上端辺４１ａが第２端辺である。
【００４５】
同様に、意匠面２Ａと左側面５Ａとの境界は、左側面５Ａが形成する平面の表面側の端部である左端辺５１ａであり、図示しないが、意匠面２Ａと右側面との境界は、右側面が形成する平面の表面側の端部である右端辺である。
【００４６】
意匠面２Ａは、下側面３Ａ側に接合目地面２１Ａを備えると共に、上側面４Ａ側に傾斜目地面２７Ａを備える。
接合目地面２１Ａは下端辺３１ａに沿って、外壁板１Ａを左右に左端辺５１ａから右端辺まで形成されている。本実施の形態１の場合、接合目地面２１Ａは、下側面３Ａと直交している。
傾斜目地面２７Ａは上端辺４１ａに沿って、外壁板１Ａを左右に左端辺５１ａから右端辺まで形成されている。
【００４７】
また、意匠面２Ａには、左右方向に複数の溝状の横目地１２Ａと、上下方向に複数の溝状の縦目地１３Ａを有している。横目地１２Ａが内側目地であり、外壁板１Ａを左右に左端辺５１ａから右端辺まで横断しており、外壁板１Ａにおいて上下に３本、接合目地面２１Ａ及び傾斜目地面２７Ａと平行に形成されている。
縦目地１３Ａは、３本の横目地１２Ａ、接合目地面２１Ａ及び傾斜目地面２７Ａの間に一定間隔で形成されている。
【００４８】
これら接合目地面２１Ａ、傾斜目地面２７Ａ、横目地１２Ａ及び縦目地１３Ａによって区画された領域が凸部１１Ａとなっている。凸部１１Ａは左右方向に長い略矩形状であり、図１に示すように、上下左右に複数並ぶようになっている。
【００４９】
接合目地面２１Ａは、上下方向に所定の長さの幅を有している。接合目地面２１Ａの上下寸法と表面形状は、後述する内底面２５Ａと同じとなっている。
【００５０】
接合目地面２１Ａの上端側には、意匠面２Ａの最も下側に位置する凸部１１Ａの壁面となる立上り傾斜面２２Ａが位置している。
立上り傾斜面２２Ａは、接合目地面２１Ａの上端辺４１ａ側の端部から表面側に向かって延びている。立上り傾斜面２２Ａが接合目地面２１Ａに対して交差する角度、即ち、立上り傾斜面２２Ａと接合目地面２１Ａとが外壁板１Ａの外側に成す角度２Ｘは、接合目地面２１Ａが下側面３Ａに対して交差する角度、即ち、接合目地面２１Ａと下側面３Ａとが外壁板１Ａの内側に成す角度１Ｘよりも大きく設定されている。
本実施の形態１の場合、接合目地面２１Ａと下側面３Ａが交差する角度１Ｘは９０°、立上り傾斜面２２Ａと接合目地面２１Ａが交差する角度２Ｘは１３０°となっている。なお、立上り傾斜面２２Ａの上下寸法と表面形状は、後述する第２傾斜面２６Ａと同じとなっている。
【００５１】
傾斜目地面２７Ａは、上下方向に所定の長さの幅を有する、上下方向に対して傾斜した面である。本実施の形態１の場合、傾斜目地面２７Ａは、上端辺側に形成された上側傾斜目地面２７１Ａと、下端辺側に形成された下側傾斜目地面２７２Ａにより構成されている。
【００５２】
上側傾斜目地面２７１Ａは、上端辺４１ａから下斜め表面側に向かって延びている。上側傾斜目地面２７１Ａの下端辺側の端部、即ち、表面側の端辺は、接合目地面２１Ａと同一平面上に位置する。
上側傾斜目地面２７１Ａが上側面４Ａに対して交差する角度、即ち、上側傾斜目地面２７１Ａと上側面４Ａとが外壁板１Ａの内側に成す角度４Ｘは、接合目地面２１Ａが下側面３Ａと成す角度１Ｘよりも大きく設定されている。
本実施の形態１の場合、上側傾斜目地面２７１Ａと上側面４Ａが交差する角度４Ｘは１６５°となっている。
【００５３】
下側傾斜目地面２７２Ａは、意匠面２Ａの最も上側に位置する凸部１１Ａの壁面を形成する面であり、上側傾斜目地面２７１Ａの下端辺側の端部から下斜め表面側に向かって延びている。上下方向の面、即ち、接合目地面２１Ａに平行な面を基準とした場合、下側傾斜目地面２７２Ａの傾斜角度は、上側傾斜目地面２７１Ａの傾斜角度と異なるように設定されている。
本実施の形態１の場合、接合目地面２１Ａに平行な面を基準とした上側傾斜目地面２７１Ａの傾斜角度６Ｙは７５°であり、下側傾斜目地面２７２Ａの傾斜角度５Ｙは５０°である。
【００５４】
なお、接合目地面２１Ａを基準とした立上り傾斜面２２Ａの傾斜角度１Ｙは、下側傾斜目地面２７２Ａの傾斜角度５Ｙと同じであり、５０°となっている。
【００５５】
上側傾斜目地面２７１Ａの上下寸法と表面形状は、後述する上側第１傾斜面２３１Ａと同じとなっている。また、下側傾斜目地面２７２Ａの上下寸法と表面形状は、後述する下側第１傾斜面２３２Ａと同じとなっている。
【００５６】
図２に示すように、下端辺３１ａから裏面までの寸法ｔ１は、上端辺４１ａから裏面までの寸法ｔ２よりも大きくなっている。そのため、下端辺３１ａは、上端辺４１ａよりも表面側に偏倚している。
【００５７】
横目地１２Ａは、図３に示す様に、本実施の形態１の外壁板１Ａが上下方向に接合された際に形成する接合部の外観と略同様な形状を構成している。即ち、横目地１２Ａは、接合目地面２１Ａに対応する内底面２５Ａと、下側面３Ａに対応する内側面２４Ａと、傾斜目地面２７Ａに対応する第１傾斜面２３Ａと、立上り傾斜面２２Ａに対応する第２傾斜面２６Ａとを有する。
【００５８】
内底面２５Ａは、上下に接合目地面２１Ａと同じ寸法の幅を有している。
【００５９】
内側面２４Ａは、内底面２５Ａの下端辺３１ａ側の端部である目地前端辺６１ａから下側面３Ａと平行に裏面側へ延びている。また、内側面２４Ａは、内底面２５Ａと直交している。なお、本実施の形態１では、目地前端辺６１ａが第３端辺である。
【００６０】
第１傾斜面２３Ａは、内底面２５Ａよりも下端辺３１ａ側にあり、下端辺３１ａ側に向かって所定の距離を有して延びている。本実施の形態１では、第１傾斜面２３Ａは、上側第１傾斜面２３１Ａと下側第１傾斜面２３２Ａにより構成され、それぞれが、傾斜目地面２７Ａの上側傾斜目地面２７１Ａと下側傾斜目地面２７２Ａに対応している。即ち、上側第１傾斜面２３１Ａが上端辺４１ａ側に形成されており、下側第１傾斜面２３２Ａが下端辺３１ａ側に形成されている。
【００６１】
上側第１傾斜面２３１Ａは、内側面２４Ａの最も裏面側である目地後端辺７１ａから、下斜め表面側に向かって延びている。上側第１傾斜面２３１Ａと内側面２４Ａが交差する角度は、例えば１５°となっている。この角度は、外壁板１Ａが上下方向に接合された際に、上側傾斜目地面２７１Ａと下側面３Ａ形成する角度と略同じとなっている。
なお、本実施の形態１では、目地後端辺７１ａが第４端辺である。
【００６２】
下側第１傾斜面２３２Ａは、凸部１１Ａの上側の壁面を形成する面であり、上側第１傾斜面２３１Ａの下端辺側の端部から下斜め表面側に向かって延びている。下側第１傾斜面２３２Ａの傾斜角度は、上側第１傾斜面２３１Ａの傾斜角度と異なるようになっている。
本実施の形態１の場合、上側第１傾斜面２３１Ａの接合目地面２１Ａを基準とした傾斜角度３Ｙは７５°、下側第１傾斜面２３２Ａの接合目地面２１Ａを基準とした傾斜角度２Ｙは５０°となっている。
【００６３】
第２傾斜面２６Ａは、凸部１１Ａの下側の壁面を形成する面であり、内底面２５Ａの上端辺側の端部から上斜め表面側に向かって延びている。
本実施の形態１の場合、第２傾斜面２６Ａが内底面２５Ａに対して交差する角度、即ち、第２傾斜面２６Ａと内底面２５Ａとが外壁板１Ａの外側に成す角度３Ｘは１３０°であり、立上り傾斜面２２Ａと接合目地面２１Ａとが外壁板１Ａの外側に成す角度２Ｘと同じとなっている。
また、本実施の形態１の場合、第２傾斜面２６Ａの接合目地面２１Ａを基準とした傾斜角度４Ｙは５０°であり、下側第１傾斜面２３２Ａの接合目地面２１Ａを基準とした傾斜角度２Ｙと同じとなっている。
【００６４】
図２に示すように、内底面２５Ａと内側面２４Ａの境界である目地前端辺６１ａから裏面までの寸法ｔ３は、第１傾斜面２３Ａと内側面２４Ａとの境界である目地後端辺７１ａから裏面までの寸法ｔ４よりも大きくなっている。そのため、目地前端辺６１ａは、目地後端辺７１ａよりも表面側に偏倚している。
【００６５】
本実施の形態１の場合、目地前端辺６１ａから裏面までの寸法ｔ３は、下端辺３１ａから裏面までの寸法ｔ１と同じとなっている。また、目地後端辺７１ａから裏面までの寸法ｔ４は、上端辺４１ａから裏面までの寸法ｔ２と同じとなっている。
【００６６】
横目地１２Ａには、内側面２４Ａと第１傾斜面２３Ａによって、表面側に開いた空隙１２１ａが形成されるようになっている。そのため、目地前端辺６１ａと第１傾斜面２３Ａは対向するが当接しない構成となっている。
【００６７】
縦目地１３Ａは、上下に延びた縦底面２８Ａと、凸部１１Ａの右側の壁面を形成する面であり、縦底面２８Ａの左側端部から左斜め表面側に向かって延びた左傾斜面２９Ａと、凸部１１Ａの左側の壁面を形成する面であり、縦目地底面２８Ａの右側端部から右斜め表面側に向かって延びた右傾斜面３０Ａとからなる。
なお、外壁板１Ａにおいて、縦目地１３Ａは外壁板１Ａを上下に上端辺４１ａから下端辺３１ａまで横断せず、凸部１１Ａにより区切られるようになっている。
【００６８】
そして、本実施の形態１の場合、外壁板１Ａの構造躯体への施工は、例えば、次のように行うことができる。
まず、外壁板１Ａを、下側面３Ａが下側、上側面４Ａが上側となるよう構造躯体に取り付ける。
【００６９】
次に、構造躯体に取り付けた外壁板１Ａの上側に、別の外壁板１Ａを取り付ける。この際に、図３に示すように、構造躯体に取り付けた外壁板１Ａの下実部７Ａに、別の外壁板１Ａの上実部６Ａが重ね合うように取り付ける。コーキングＣは上実部６Ａにより潰される。
【００７０】
ここで、外壁板１Ａの上端辺４１ａから傾斜目地面２７Ａが延びており、下端辺３１ａから接合目地面２１Ａが延びている。そのため、外壁板１Ａ、１Ａの上下接続部には、下側の外壁板１Ａの傾斜目地面２７Ａと、上側の外壁板１Ａの接合目地面２１Ａにより接合目地１４Ａが形成されるようになっている。接続目地１４Ａにおいて、上側の外壁板１Ａの接合目地面２１Ａが目地底面となり、上側の建築板１Ａの下側面３Ａと下側の建築板１Ａの上側面４Ａが対向し、当接するようになっている。
【００７１】
意匠面２Ａと下側面３Ａとの境界である下端辺３１ａは、意匠面２Ａと上側面４Ａとの境界である上端辺４１ａよりも表面側に偏倚している。そのため、接合目地１４Ａには、上側の建築板１Ａの下側面３Ａと下側の建築板１Ａの傾斜目地面２７Ａとによって、表面側に開いた空隙１４１ａが形成されるようになっている。また、上側の建築板１Ａの下端辺３１ａは、下側の建築板１Ａの傾斜目地面２７Ａと当接せず、上側の建築板１Ａと下側の建築板１Ａの継ぎ目は、上側の建築板１Ａの下端辺３１ａよりも裏面側に形成される構成となっている。
【００７２】
以後、同じ作業を繰り返すことにより、外壁板１Ａを上下に隣合わせて構造躯体に施工した建築板の施工構造が構築される。また、この施工構造において、上下の外壁板１Ａ、１Ａの接続部には、接続目地１４Ａが形成されるようになっている。
【００７３】
本実施の形態１の場合では、外壁板１Ａを、下側面３Ａが下側、上側面４Ａが上側となるよう構造躯体に取り付けると、上側の外壁板１Ａと下側の外壁板１Ａの接続部には、上側の外壁板１Ａの接合目地面２１Ａと下側の外壁板１Ａの傾斜目地面２７Ａにより、上側の外壁板１Ａの接合目地面２１Ａを目地底面とした接合目地１４Ａが形成されるようになっている。
【００７４】
上側の外壁板１Ａの下端辺３１ａは、下側の外壁板１Ａの上端辺４１ａよりも表面側に偏倚するが、上側の外壁板１Ａの下端辺３１ａが接合目地１４Ａの底面の下端辺となるようになっているので、目立ちにくい。
【００７５】
また、表面側に偏倚した上側の外壁板１Ａの下端辺３１ａは、下側の外壁板１Ａの傾斜目地面２７Ａと対向するようになっているので、上側の外壁板１Ａの下端辺３１ａにより形成される影は小さくなり、目立ちにくい。
【００７６】
更に、雨水等の水滴Ｗは、図４に示すように、上側の外壁板１Ａの接合目地面２１Ａと、下側の外壁板１Ａの傾斜目地面２７Ａに沿って流れる。ここで、上側の外壁板１Ａの接合目地面２１Ａと、下側の外壁板１Ａの傾斜目地面２７Ａとは空隙１４１ａを挟んで離れるようになっており、上下板の継ぎ目は上側の外壁板１Ａの下端辺３１ａよりも裏面側に形成されるようになっているので、上下板の継ぎ目に雨水が侵入しにくく、止水性に優れる。
【００７７】
なお、空隙１４１ａを構成する上側傾斜目地面２７１Ａの傾斜角度６Ｙを、下側傾斜目地面２７２Ａの傾斜角度５Ｙよりも大きくしているので、上側傾斜目地面２７１Ａと接合目地面２１Ａとの距離は近くなり、空隙１４１ａが目立ちにくい。
【００７８】
また、下側傾斜目地面２７２Ａの傾斜角度５Ｙが、立上り傾斜面２２Ａの傾斜角度１Ｙと同じとなっているので、接合目地１４Ａの上下の傾斜面は同じとなり、意匠性に優れる。
【００７９】
更に、本実施の形態１の場合、外壁板１Ａは、意匠面２Ａの内方に、内底面２５Ａと第１傾斜面２３Ａを有する横目地１２Ａを備える。内底面２５Ａの上下寸法及び表面形状は、接合目地面２１Ａと同じとなっており、第１傾斜面２３Ａの上下寸法及び表面形状は、傾斜目地面２７Ａと同じとなっている。また、目地前端辺６１ａから裏面までの寸法ｔ３は、下端辺３１ａから裏面までの寸法ｔ１と同じとなっており、目地後端辺７１ａから裏面までの寸法ｔ４は、上端辺４１ａから裏面までの寸法ｔ２と同じとなっている。そのため、空隙１２１ａと空隙１４１ａは同じ形状となり、横目地１２Ａと接合目地１４Ａは同じ形状となるので、横目地１２Ａに形成される影と接合目地１４Ａに形成される影は同じとなり、板の継ぎ目は目立ちにくい。
【００８０】
以上のように、外壁板１Ａは、その使用状態において、板の継ぎ目が目立ちにくく、かつ高い止水性を実現するのに適する。
【００８１】
（実施の形態２）
実施の形態２の外壁板は、図５及び図６に示す外壁板１Ｂである。この外壁板１Ｂは、接合目地面２１Ｂと内底面２５Ｂの形状が外壁板１Ａと異なる。また、第１側面３Ｂと内側面２４Ｂの厚さ方向の寸法は、接合目地面２１Ｂと内底面２５Ｂの形状変更に伴い、下側面３Ａと内側面２４Ａよりも小さくなっている。他の構成は、外壁板１Ａと同じとなっており、外壁板１Ａと同じ符号を付してある。
【００８２】
本実施の形態２の場合も、接合目地面２１Ｂは下端辺３１ｂに沿って、外壁板１Ｂを左右に左端辺５１ａから右端辺まで形成されており、上下方向に所定の長さの幅を有する。
しかし、接合目地面２１Ｂが下端辺３１ｂ側に面取り２１１Ｂを有することが実施の形態１と異なる。本実施の形態２の場合、接合目地面２１Ｂは、上端辺側に形成された上側接合目地面２１２Ｂと、下端辺側に形成された面取り２１１Ｂにより構成されている。
【００８３】
上側接合目地面２１２Ｂは、立上り傾斜面２２Ａの下端辺３１ｂ側の端部から下方向に垂直に延びている。
本実施の形態２の場合、下側面３Ｂに平行な面を基準とした上側接合目地面２１２Ｂの傾斜角度５Ｘは９０°、上側接合目地面２１２Ｂと立上り傾斜面２２Ａとが外壁板１Ｂの外側に成す角度２Ｘは１３０°となっている。
【００８４】
面取り２１１Ｂは、意匠面２Ｂの最も下側に位置し、上側接合目地面２１２Ｂの下端辺側の端部から下斜め裏面側にある下側面３Ｂの表面側の下端辺３１ｂに向かって延びており、傾斜形状である。本実施の形態２では、面取り２１１Ｂの左右位置及び左右寸法は、傾斜目地面２７Ａと同じとなっている。
【００８５】
図６に示すように、外壁板１Ｂの下端辺３１ｂから裏面までの寸法ｔ５は、外壁板１Ｂの上端辺４１ａから裏面までの寸法ｔ６よりも大きくなっている。そのため、下端辺３１ｂは、上端辺４１ａよりも表面側に偏倚している。
【００８６】
内底面２５Ｂは目地前端辺６１ｂに沿って、外壁板１Ｂを左右に左端辺５１ａから右端辺まで形成されており、上下方向に所定の長さの幅を有することは実施の形態１と同じである。
しかし、内底面２５Ｂが目地前端辺６１ｂ側に面取り２５１Ｂを有することが実施の形態１と異なる。本実施の形態２の場合、内底面２５Ｂは、上端辺側に形成された上側内底面２５２Ｂと、下端辺側に形成された面取り２５１Ｂにより構成されている。
【００８７】
上側内底面２５２Ｂは、第２傾斜面２６Ａの下端辺３１ｂ側の端部から下方向に垂直に延びており、上側接合目地面２１２Ｂと同一平面上に位置する。
本実施の形態２の場合、上側内底面２５２Ｂと第２傾斜面２６Ａとが外壁板１Ｂの外側に成す角度３Ｘは、上側接合目地面２１２Ｂと立上り傾斜面２２Ａとが外壁板１Ｂの外側に成す角度２Ｘとなっており、１３０°である。
【００８８】
面取り２５１Ｂは、上側内底面２５２Ｂの下端辺側の端部から下斜め裏面側にある内側面２４Ｂの表面側の目地前端辺６１ｂに向かって延びており、傾斜形状である。本実施の形態２では、面取り２５１Ｂの上側内底面２５２Ｂに対する傾斜角度は、面取り２１１Ｂの上側接合目地面２１２Ｂに対する傾斜角度と同じとなっている。また、面取り２５１Ｂの左右位置及び左右寸法は、横目地内で対向する第１傾斜面２３Ａと同じとなっている。
【００８９】
更に、図６に示すように、目地前端辺６１ｂから裏面までの寸法ｔ７は、下端辺３１ｂから裏面までの寸法ｔ５と同じとなっている。また、目地後端辺７１ａから裏面までの寸法ｔ８は、上端辺４１ａから裏面までの寸法ｔ６と同じとなっている。
【００９０】
よって、目地前端辺６１ｂから裏面までの寸法ｔ７は、目地後端辺７１ａから裏面までの寸法ｔ８よりも大きくなっている。そのため、目地前端辺６１ｂは、目地後端辺７１ａよりも表面側に偏倚している。また、横目地１２Ｂには、内側面２４Ｂと第１傾斜面２３Ａによって、表面側に開いた空隙１２１ｂが形成されるようになっている。そのため、目地前端辺６１ｂと第１傾斜面２３Ａは対向するが当接しない。
【００９１】
本実施の形態２の場合も、図７に示すように、外壁板１Ｂを下側面３Ｂが下側、上側面４Ａが上側となるよう構造躯体に取り付けると、上側の外壁板１Ｂと下側の外壁板１Ｂの接続部には、上側の外壁板１Ｂの接合目地面２１Ｂと下側の外壁板１Ｂの傾斜目地面２７Ａにより、上側の外壁板１Ｂの接合目地面２１Ｂを目地底面とした接合目地１４Ｂが形成されるようになっている。
【００９２】
上側の外壁板１Ｂの下端辺３１ｂは、下側の外壁板１Ｂの上端辺４１ａよりも表面側に偏倚するが、上側の外壁板１Ｂの下端辺３１ｂが接合目地１４Ｂの底面の下端辺となるようになっているので、目立ちにくい。
【００９３】
また、表面側に偏倚した上側の外壁板１Ｂの下端辺３１ｂは、下側の外壁板１Ｂの傾斜目地面２７Ａと対向するようになっているので、表面側に偏倚した上側の外壁板１Ｂの下端辺３１ｂにより形成される影は小さくなり、目立ちにくい。
【００９４】
本実施の形態２では、接合目地面２１Ｂの下端辺３１ｂ側に面取り２１１Ｂを備えるようになっているので、下端辺３１ｂにより形成される影は、外壁板１Ａの下端辺３１ａにより形成される影よりも目立ちにくい。
【００９５】
更に、接合目地１４Ｂには、上側の建築板１Ｂの下側面３Ｂと下側の建築板１Ｂの傾斜目地面２７Ａとによって、表面側に開いた空隙１４１ｂが形成されるようになっている。上側の外壁板１Ｂの接合目地面２１Ｂと、下側の外壁板１Ｂの傾斜目地面２７Ａとは空隙１４１ｂを挟んで離れており、上下板の継ぎ目は上側の外壁板１Ｂの下端辺３１ｂよりも裏面側に形成されるようになっているので、上下板の継ぎ目に雨水が侵入しにくく、止水性に優れる。
【００９６】
更に、本実施の形態２の場合も、外壁板１Ｂは、意匠面２Ｂの内方に、内底面２５Ｂと、第１傾斜面２３Ａを有する横目地１２Ｂを備える。内底面２５Ｂは、接合目地面２１Ｂと上下寸法及び表面形状が同じとなっており、第１傾斜面２３Ａは、傾斜目地面２７Ａと上下寸法及び表面形状が同じとなっている。また、目地前端辺６１ｂから裏面までの寸法ｔ７は、下端辺３１ｂから裏面までの寸法ｔ５と同じとなっており、目地後端辺７１ａから裏面までの寸法ｔ８は、上端辺４１ａから裏面までの寸法ｔ６と同じとなっている。そのため、空隙１２１ｂと空隙１４１ｂは同じ形状となり、横目地１２Ｂと接合目地１４Ｂは同じ形状となるので、横目地１２Ｂに形成される影と接合目地１４Ｂに形成される影は同じとなり、板の継ぎ目は目立ちにくい。
【００９７】
なお、内底面２５Ｂの目地前端辺６１ｂ側も面取り２５１Ｂとなっているので、目地前端辺６１ｂにより形成される影は、外壁板１Ａの目地前端辺６１ａにより形成される影よりも目立ちにくい。
【００９８】
また、上側接合目地面２１２Ｂに平行な面を基準とした上側傾斜目地面２７１Ａの傾斜角度６Ｙを、上側接合目地面２１２Ｂに平行な面を基準とした下側傾斜目地面２７２Ａの傾斜角度５Ｙよりも大きくしているので、上側傾斜目地面２７１Ａと接合目地面２１Ｂとの距離は近くなり、空隙１４１ｂが目立ちにくい。
【００９９】
更に、上側接合目地面２１２Ｂに平行な面を基準とした下側傾斜目地面２７２Ａの傾斜角度５Ｙが、上側接合目地面２１２Ｂに平行な面を基準とした立上り傾斜面２２Ａの傾斜角度１Ｙと同じとなっているので、接合目地１４Ｂの上下の傾斜面は同じとなり、意匠性に優れる。
【０１００】
以上のように、外壁板１Ｂも、その使用状態において、板の継ぎ目が目立ちにくく、かつ高い止水性を実現するのに適する。
【０１０１】
（実施の形態３）
実施の形態３の外壁板は、図８に示す外壁板１Ｃである。この外壁板１Ｃは、接合目地面２１Ｃの形状が外壁板１Ａと異なる。また、下側面３Ｃの厚さ方向の寸法は、接合目地面２１Ｃの形状変更に伴い、接合目地面２１Ａよりも小さくなっている。他の構成は、外壁板１Ａと同じとなっており、外壁板１Ａと同じ符号を付してある。
【０１０２】
本実施の形態３の場合も、接合目地面２１Ｃは下端辺３１ｃに沿って、外壁板１Ｂを左右に左端辺から右端辺まで形成されており、上下方向に所定の長さの幅を有する。
しかし、接合目地面２１Ｃが下端辺３１ｃ側に面取り２１１Ｃを有することが実施の形態１と異なる。本実施の形態３の場合、接合目地面２１Ｃは、上端辺側に形成された上側接合目地面２１２Ｃと、下端辺側に形成された面取り２１１Ｃにより構成されている。
【０１０３】
上側接合目地面２１２Ｃは、立上り傾斜面２２Ａの下端辺３１ｃ側の端部から下方向に垂直に延びている。
本実施の形態３の場合、下側面３Ｃに平行な面を基準とした上側接合目地面２１２Ｃの傾斜角度６Ｘは９０°、上側接合目地面２１２Ｃと立上り傾斜面２２Ａとが外壁板１Ｃの外側に成す角度２Ｘは１３０°となっている。
【０１０４】
面取り２１１Ｃは、意匠面２Ｃの最も下側に位置し、上側接合目地面２１２Ｃの下端辺側の端部から下斜め裏面側にある下側面３Ｃの表面側の下端辺３１ｃに向かって延びており、断面視で円弧形状である。本実施の形態３では、面取り２１１Ｃの左右位置及び左右寸法は、傾斜目地面２７Ａと同じとなっている。
【０１０５】
図８に示すように、外壁板１Ｃの下端辺３１ｃから裏面までの寸法ｔ９は、外壁板１Ｃの上端辺４１ａから裏面までの寸法ｔ１０よりも大きくなっている。そのため、下端辺３１ｃは、上端辺４１ａよりも表面側に偏倚している。
【０１０６】
また、図８に示すように、目地前端辺６１ａから裏面までの寸法ｔ１１は、下端辺３１ｃから裏面までの寸法ｔ９と同じとなっている。また、目地後端辺７１ａから裏面までの寸法ｔ１２は、上端辺４１ａから裏面までの寸法ｔ１０と同じとなっている。
【０１０７】
本実施の形態３の場合も、図９に示すように、外壁板１Ｃを下側面３Ｃが下側、上側面４Ａが上側となるよう構造躯体に取り付けると、上側の外壁板１Ｃと下側の外壁板１Ｃの接続部には、上側の外壁板１Ｃの接合目地面２１Ｃと下側の外壁板１Ｃの傾斜目地面２７Ａにより、上側の外壁板１Ｃの接合目地面２１Ｃを目地底面とした接合目地１４Ｃが形成されるようになっている。
【０１０８】
上側の外壁板１Ｃの下端辺３１ｃは、下側の外壁板１Ｃの上端辺４１ａよりも表面側に偏倚するが、上側の外壁板１Ｃの下端辺３１ｃが接合目地１４Ｃの底面の下端辺となっているので、目立ちにくい。
【０１０９】
また、表面側に偏倚した上側の外壁板１Ｃの下端辺３１ｃは、下側の外壁板１Ｃの傾斜目地面２７Ａと対向するようになっているので、表面側に偏倚した上側の外壁板１Ｃの下端辺３１ｃにより形成される影は小さくなり、目立ちにくい。
【０１１０】
外壁板１Ｃでは、接合目地面２１Ｃの下端辺３１ｃ側に面取り２１１Ｃを備えるようになっているので、下端辺３１ｃにより形成される影は、外壁板１Ａの下端辺３１ａにより形成される影よりも目立ちにくい。
【０１１１】
更に、接合目地１４Ｃには、上側の建築板１Ｃの下側面３Ｃと下側の建築板１Ｃの傾斜目地面２７Ａとによって、表面側に開いた空隙１４１ｃが形成されるようになっている。上側の外壁板１Ｃの接合目地面２１Ｃと、下側の外壁板１Ｃの傾斜目地面２７Ａとは空隙１４１ｃを挟んで離れるようになっており、上下板の継ぎ目は上側の外壁板１Ｃの下端辺３１ｃよりも裏面側に形成されるようになっているので、上下板の継ぎ目に雨水が侵入しにくく、止水性に優れる。
【０１１２】
更に、外壁板１Ｃは、意匠面２Ｃの内方に横目地１２Ａを有し、横目地１２Ａには影が形成されるようになっている。横目地１２Ａに形成される影は、接合目地１４Ｃに形成される影よりも目立つので、上下板の継ぎ目が目立ちにくくなる。
【０１１３】
なお、上側接合目地面２１２Ｃに平行な面を基準とした上側傾斜目地面２７１Ａの傾斜角度６Ｙを、上側接合目地面２１２Ｃに平行な面を基準とした下側傾斜目地面２７２Ａの傾斜角度５Ｙよりも大きくしているので、下側の外壁板の上側傾斜目地面２７１Ａと、上側の外壁板の接合目地面２１Ｃとの距離は近くなり、空隙１４１ｃが目立ちにくい。
【０１１４】
また、上側接合目地面２１２Ｃに平行な面を基準とした下側傾斜目地面２７２Ａの傾斜角度５Ｙが、上側接合目地面２１２Ｃに平行な面を基準とした立上り傾斜面２２Ａの傾斜角度１Ｙと同じとなっているので、接合目地１４Ｃの上下の傾斜面は同じとなり、意匠性に優れる。
【０１１５】
以上のように、外壁板１Ｃも、その使用状態において、板の継ぎ目が目立ちにくく、かつ高い止水性を実現するのに適する。
【０１１６】
（実施の形態４）
実施の形態４の外壁板は、図１０に示す外壁板１Ｄである。この外壁板１Ｄは、傾斜目地面２７Ｂと第１傾斜面２３Ｂの形状が外壁板１Ａと異なる。また、上側面４Ｂの厚さ方向の寸法は、傾斜目地面２７Ｂの形状変更に伴い、上側面４Ａよりも大きくなっている。内側面２４Ｃの厚さ方向の寸法は、第１傾斜面２３Ｂの形状変更に伴い、内側面２４Ａよりも小さくなっている。他の構成は、外壁板１Ａと同じとなっており、外壁板１Ａと同じ符号を付してある。
【０１１７】
本実施の形態４の場合も、傾斜目地面２７Ｂは、上下方向に所定の長さの幅を有する、上下方向に対して傾斜した面である。
しかし、傾斜目地面２７Ｂは、上端辺４１ｂから下斜め表面側に向かって、傾斜角度の変化が無く延びていることが実施の形態１と異なる。本実施の形態４の場合、傾斜目地面２７Ｂと上側面４Ｂとが外壁板１Ｄの内側に成す角度７Ｘは、接合目地面２１Ａが下側面３Ａと成す角度１Ｘよりも大きく設定されている。
本実施の形態４の場合、傾斜目地面２７Ｂと上側面４Ｂが交差する角度７Ｘは１４０°、接合目地面２１Ａが下側面３Ａと成す角度１Ｘは９０°となっている。
【０１１８】
接合目地面２１Ａに平行な面を基準とした傾斜目地面２７Ｂの傾斜角度８Ｙは、接合目地面２１Ａに平行な面を基準とした立上り傾斜面２２Ａの傾斜角度１Ｙと同じとなっており、一例として５０°である。
【０１１９】
図１０に示すように、外壁板１Ｄの下端辺３１ａから裏面までの寸法ｔ１３は、外壁板１Ｄの上端辺４１ｂから裏面までの寸法ｔ１４よりも大きくなっている。そのため、下端辺３１ａは、上端辺４１ｂよりも表面側に偏倚している。
【０１２０】
本実施の形態４の場合も、第１傾斜面２３Ｂは、上下方向に所定の長さの幅を有する、上下方向に対して傾斜した面である。また、第１傾斜面２３Ｂの上下寸法と表面形状は、傾斜目地面２７Ｂと同じとなっている。
しかし、第１傾斜面２３Ｂは、内側面２４Ｃの裏面側の端部７１ｂから下斜め表面側に向かって、傾斜角度の変化が無く延びていることが実施の形態１と異なる。
本実施の形態４の場合、第１傾斜面２３Ｂと内側面２４Ｃが交差する角度は４０°、接合目地面２１Ａに平行な面を基準とした第１傾斜面２３Ｂの傾斜角度７Ｙは５０°となっている。
【０１２１】
更に、図１０に示すように、目地前端辺６１ａから裏面までの寸法ｔ１５は、下端辺３１ａから裏面までの寸法ｔ１３と同じとなっている。また、目地後端辺７１ｂから裏面までの寸法ｔ１６は、上端辺４１ｂから裏面までの寸法ｔ１４と同じとなっている。
【０１２２】
よって、目地前端辺６１ａから裏面までの寸法ｔ１５は、目地後端辺７１ｂから裏面までの寸法ｔ１６よりも大きくなっている。そのため、目地前端辺６１ａは、目地後端辺７１ｂよりも表面側に偏倚している。また、横目地１２Ｃには、内側面２４Ｃと第１傾斜面２３Ｂによって、表面側に開いた空隙１２１ｃが形成されるようになっている。そのため、目地前端辺６１ａと第１傾斜面２３Ｂは対向するが当接しない構成となっている。
【０１２３】
本実施の形態４の場合も、図１１に示すように、外壁板１Ｄを下側面３Ａが下側、上側面４Ｂが上側となるよう構造躯体に取り付けると、上側の外壁板１Ｄと下側の外壁板１Ｄの接続部には、上側の外壁板１Ｄの接合目地面２１Ａと下側の外壁板１Ｄの傾斜目地面２７Ｂにより、上側の外壁板１Ｄの接合目地面２１Ａを目地底面とした接合目地１４Ｄが形成されるようになっている。
【０１２４】
上側の外壁板１Ｄの下端辺３１ａは、下側の外壁板１Ｄの上端辺４１ｂよりも表面側に偏倚するが、上側の外壁板１Ｄの下端辺３１ａが接合目地１４Ｄの底面の下端辺となるようになっているので、目立ちにくい。
【０１２５】
また、表面側に偏倚した上側の外壁板１Ｄの下端辺３１ａは、下側の外壁板１Ｄの傾斜目地面２７Ｂと対向するようになっているので、表面側に偏倚した上側の外壁板１Ｄの下端辺３１ａにより形成される影は小さくなり、目立ちにくい。
【０１２６】
更に、接合目地１４Ｄには、上側の建築板１Ｄの下側面３Ａと下側の建築板１Ｄの傾斜目地面２７Ｂとによって、表面側に開いた空隙１４１ｄが形成されるようになっている。上側の外壁板１Ｄの接合目地面２１Ａと、下側の外壁板１Ｄの傾斜目地面２７Ｂとは空隙１４１ｄを挟んで離れており、上下板の継ぎ目は上側の外壁板１Ｄの下端辺３１ａよりも裏面側に形成されるようになっているので、上下板の継ぎ目に雨水が侵入しにくく、止水性に優れる。
【０１２７】
更に、本実施の形態４の場合も、外壁板１Ｄは、意匠面２Ｄの内方に、内底面２５Ａと、第１傾斜面２３Ｂを有する横目地１２Ｃを備える。内底面２５Ａは、接合目地面２１Ａと上下寸法及び表面形状が同じとなっており、第１傾斜面２３Ｂは、傾斜目地面２７Ｂと上下寸法及び表面形状が同じとなっている。また、目地前端辺６１ａから裏面までの寸法ｔ１５は、下端辺３１ａから裏面までの寸法ｔ１３と同じとなっており、目地後端辺７１ｂから裏面までの寸法ｔ１６は、上端辺４１ｂから裏面までの寸法ｔ１４と同じとなっている。そのため、空隙１２１ｃと空隙１４１ｄは同じ形状となり、横目地１２Ｃと接合目地１４Ｄは同じ形状となるので、横目地１２Ｃに形成される影と接合目地１４Ｄに形成される影は同じとなり、板の継ぎ目は目立ちにくい。
【０１２８】
また、接合目地面２１Ａに平行な面を基準とした傾斜目地面２７Ｂの傾斜角度８Ｙが、接合目地面２１Ａに平行な面を基準とした立上り傾斜面２２Ａの傾斜角度１Ｙと同じとなっているので、接合目地１４Ｄの上下の傾斜面は同じとなり、意匠性に優れる。
【０１２９】
以上のように、外壁板１Ｄも、その使用状態において、板の継ぎ目が目立ちにくく、かつ高い止水性を実現するのに適する。
【０１３０】
本発明は上記実施の形態１〜４に制限されるものではなく、その趣旨を逸脱しない範囲で適宜変更して適用できる。
【０１３１】
例えば、面取りは多角形状であっても良い。また、接合目地面の面取りを、外壁材を左右に横断するよう設けても良い。更に、凸部は外壁材を左右に横断する形状であっても良いし、縦目地部を有さない構成であっても良い。更に、意匠面は内方に横目地を備えない形状であっても良い。
【符号の説明】
【０１３２】
１Ａ〜１Ｄ…外壁板
２Ａ〜２Ｄ…意匠面
３Ａ〜３Ｃ…下側面
４Ａ〜４Ｂ…上側面
５Ａ…左側面
６Ａ…上実部
７Ａ…下実部
１１Ａ…凸部
１２Ａ〜１２Ｃ…横目地
１３Ａ…縦目地
１４Ａ〜１４Ｄ…接合目地
２１Ａ〜２１Ｃ…接合目地面
２１１Ｂ〜２１１Ｃ…面取り
２１２Ｂ〜２１２Ｃ…上側接合目地面
２２Ａ…立上り傾斜面
２３Ａ〜２３Ｂ…第１傾斜面
２３１Ａ…上側第１傾斜面
２３２Ａ…下側第１傾斜面
２４Ａ〜２４Ｃ…内側面
２５Ａ〜２５Ｂ…内底面
２５１Ｂ…面取り
２５２Ｂ…上側内底面
２６Ａ…第２傾斜面
２７Ａ〜２７Ｂ…傾斜目地面
２７１Ａ…上側傾斜目地面
２７２Ａ…下側傾斜目地面
２８Ａ…縦底面
２９Ａ…左傾斜面
３０Ａ…右傾斜面
３１ａ〜３１ｃ…下端辺
４１ａ〜４１ｂ…上端辺
５１ａ〜５１ｂ…左端辺
６１ａ〜６１ｂ…目地前端辺
７１ａ〜７１ｂ…目地後端辺
１２１ａ〜１２１ｃ…横目地の空隙
１４１ａ〜１４１ｄ…接合目地の空隙
Ｃ…コーキング
Ｗ…水滴
【図１】
2020016121.tif 000003
【図２】
2020016121.tif 000004
【図３】
2020016121.tif 000005
【図４】
2020016121.tif 000006
【図５】
2020016121.tif 000007
【図６】
2020016121.tif 000008
【図７】
2020016121.tif 000009
【図８】
2020016121.tif 000010
【図９】
2020016121.tif 000011
【図１０】
2020016121.tif 000012
【図１１】
2020016121.tif 000013